(57)【要約】【課題】安価である上、設置や移動を容易に行う事のできる耐火金庫を提供すること。【解決手段】耐火金庫の６面の内少なくとも何れかの面が、内部に水を貯留することのできる２重壁となっている耐火金庫。該２重壁を有する面には、少なくとも、注水するための注水口が設けられている。【選択図】図１
2005248573.tif 000002
【特許請求の範囲】
【請求項１】
耐火金庫の６面の内少なくとも何れかの面が、内部に水を貯留することのできる２重壁となっていると共に、該２重壁内部に注水するための注水口を有することを特徴とする耐火金庫。
【請求項２】
少なくとも、本体の全側面及び上面が内部に水を貯留することのできる２重壁構造となっており、該２重壁の内部に注水するために必要且つ十分な注水口を有することを特徴とする請求項1に記載された耐火金庫。
【請求項３】
各面が独立し、組立て可能に構成されてなる、請求項２に記載された耐火金庫。
【請求項４】
少なくとも、底面を含む本体の全ての面が内部に水を貯留する事のできる２重壁となっており、各面がその隣接する面と互いに連通していると共に、全ての２重壁内に水を注入し得る注水口を有する事を特徴とする耐火金庫。
【請求項５】
耐火金庫の扉が、内部に水を貯留することのできる２重壁構造を有すると共に該２重壁内に注水するための注水口を有する、請求項１〜４の何れかに記載された耐火金庫。
【請求項６】
水を貯留する事のできる２重壁内部に貯留された水を抜くためのドレーン及び/又は水蒸気の発生により警報音を発生する鳴き笛装置を更に有する、請求項１〜５の何れかに記載された耐火金庫。
【請求項７】
前記鳴き笛装置が注水口に設けられている、請求項１〜６の何れかに記載された耐火金庫。
【発明の詳細な説明】
【技術分野】
【０００１】
本発明は耐火金庫に関し、特に移動が容易な耐火金庫に関する。
【背景技術】
【０００２】
従来の耐火金庫は、外壁と内壁の２重壁の間に、レンガやコンクリート、石綿または砂などの無機質固体を充填したものであるために、重く、移動や設置が容易ではないという欠点があった。かかる欠点を改善するするために、上記無機質固体の代わりに、熱可塑性樹脂及び／又は合成ゴム、りん化合物、中和処理された熱膨張性黒鉛、無機充填剤からなるような耐火膨張性シートを、前記内壁の外側又は外壁の内側の何れか一方に貼着させた耐火金庫が提案されている（特許文献1）。しかしながら、この場合には、耐火膨張性シートの材料が従来の無機質固体より高価であるため、金庫が高価となる上、無機質充填剤も使用するので、移動・設置容易性が十分と言えるものではないという欠点があった。
【０００３】
【特許文献１】特開２０００−５４７３２号公報
【０００４】
また、外側から、耐火性断熱材料による嵩比重１．０ｇ／ｃｍ２以下の層、空気層及び/又は吸熱特性を有する材料を含む中間層、及び不燃性材料による嵩比重２０ｇ／ｃｍ２以下の層からなる内層の少なくとも３層を含む多層構造壁とした、可搬性を有する耐火保管庫も提案されている（特許文献２）。しかしながら、この場合には、材料費が嵩むだけでなく構造が複雑になるので、保管庫が高価となる上、軽量化にも限度があるという欠点があった。
【０００５】
【特許文献２】特開２０００−８２９３６号公報
【０００６】
本発明者は、上記の欠点を解決すべく鋭意検討した結果、注水口から外壁と内壁の間に水を充填すると共に、加熱されたときに蒸気を逃がしうる構造とした場合には、注水量を十分多くする事により十分な耐熱性を持たせる事ができると共に、移動・設置時には排水する事により十分軽量とし、容易に移動・設置する事ができること、更に、加熱され蒸気が発生した場合に警告音が出るように吹鳴装置を持たせる事により、火災時に金庫の存在場所を知らせる事ができるので、その場所を優先的に消火して損害を最小限にする事が可能となことを見出し、本発明に到達した。
【発明の開示】
【発明が解決しようとする課題】
【０００７】
従って本発明の第１の目的は、設置や移動が容易であると共に安価な耐火金庫を提供することにある。
本発明の第２の目的は、設置や移動が容易であるだけでなく、火災時に金庫の存在場所を知らせる事のできる、安価な耐火金庫を提供することにある。
【課題を解決するための手段】
【０００８】
本発明の上記の諸目的は、耐火金庫の６面の内少なくとも何れかの面が、内部に水を貯留することのできる２重壁となっていると共に、該２重壁内部に注水するための注水口を有することを特徴とする耐火金庫によって達成された。
本発明の耐火金庫は、本体の全側面及び上面が内部に水を貯留することのできる２重壁構造となっていることが好ましく、底面を含む本体の全ての面が内部に水を貯留する事のできる２重壁となっており、各面がその隣接する面と互いに連通していることが更に好ましい。これらの２重壁は、各面が独立し、組立て可能に構成されていても良い。
また、２重壁内部に貯留された水を抜くためのドレーン及び／又は水蒸気の発生により警報音を発生する鳴き笛装置を更に有することが好ましく、この鳴き笛装置が、特に注水口に設けられていることが好ましい。
【発明の効果】
【０００９】
本発明の耐火金庫は、水を抜けば軽量となるので、設置や移動が容易であるだけでなく、構造が単純であり、また材料費も大幅に節約する事ができるので安価である。更に、鳴き笛装置をつけておけば、火災時に金庫の存在場所が容易にわかるので、金庫の安全を確保し易く、これによって損害を最小にする事も可能となる。
【発明を実施するための最良の形態】
【００１０】
以下、本発明を実施例に基づいて詳述するが、本発明はこれらの実施例に限定されるものではない。
図1は本発明の耐火金庫の、断面概念図である。図中の符合1は耐火金庫の内壁、２は外壁、３は外壁を支える梁であり、水が連通するように互い違いになっていたり、通水孔を有するものとする。この実施例においては、底部のみ強度を持たせるため梁３の本数を多くしているが、この態様に限定されるものではない。符合４は注水口、５は鳴き笛装置、６は排水のドレーン、７は足であり、この足はキャスターであっても良い。
【００１１】
本発明の耐火金庫を構成する材料は、従来から使用されている材料の他、アルミニウムやその合金のような、軽金属を使用しても良い。特にアルマイトは、軽量であると共に耐熱性も改善されるので好ましい材料である。
鳴き笛装置５は公知のものを使用すればよい。このような鳴き笛としては、例えば、実開平６−３２１号公報に記載されたものや、実開平６−６６５２６号に記載されたものを挙げることができる。図１においては鳴き笛装置を注水口に設けているが、注水口とは別に、鳴き笛装置を独立に設けても良い。鳴き笛装置５を設けない場合には、平常時の水分の蒸発を防止するように、注水口４に、開閉自在、又は着脱自在に蓋を設けることが好ましい。着脱自在の蓋はゴム栓やコルク栓のようなものであっても良い。
また、ドレーンは、公知の構造の、螺子式のものであってもコック式のものであっても良い。ドレーンは、排水を容易且つ完全に行えるような位置に設けることが好ましい。操作性の観点からは、必ずしも、図1のように底面に設ける必要はない。
【００１２】
水を貯留する事のできる２重壁は、耐火金庫の６面の全部であっても、１面だけであっても良いが、本体の全側面及び上面が内部に水を貯留することのできる２重壁構造となっていることが、製造容易性及び材料費の低減の観点から好ましい。また、外壁の内面は熱交換効率が良くなるように、凹凸を付けるなどすることが好ましい。上記の２重壁になっていない面は、従来どおりの材料、構造の耐火壁とする必要がある。また、各面又は一部の面を独立に製造し、組立て可能に構成しても良いが、底面を含む本体の全ての面が内部に水を貯留する事のできる２重壁となっており、各面がその隣接する面と互いに連通していることが更に好ましい。組立て式とした場合でも、水を貯留する２重壁が２以上ある場合には、連通管によってこれらの２重壁内部の水の行き来を確保する事が、耐火性能を安定化する上から好ましい。
【００１３】
本発明においては、異なる圧力で動作する複数の鳴き笛を設けても良い。このようにすると、火災時における耐火金庫の２重壁内圧力がどれくらいになっているか推定し易くなるので、消防活動の安全確保の観点から好ましい。また、水蒸気は高温で化学的に活性になるので、高温で分解して炭酸ガスを発生する炭酸カルシウムを、本発明の耐火金庫の傍に置いておくことが好ましく、特に耐火金庫の上面に載せて配置しておく事が好ましい。
【産業上の利用可能性】
【００１４】
本発明の耐火金庫は、従来のものより安価である上、設置や移動時に軽量にすることができるので極めて便利である。
【図面の簡単な説明】
【００１５】
【図１】本発明の耐火金庫における、本体部分の断面概念図である。
【符号の説明】
【００１６】
１    耐火金庫の内壁
２    耐火金庫の外壁
３    外壁を支える梁
４    注水口
５    鳴き笛装置
６    排水ドレーン
７    足
【図１】
2005248573.tif 000003